(57)【要約】【課題】ドラム型分離装置において、液体中の磁性体の搬送能力を維持しつつ、装置のコストの低減を図る。【解決手段】このドラム型分離装置は、磁性体が混じった液体を通す液体通路（１０）と、液体通路中で一部が液面上方に露出するように配置され、回転することで、外周面に吸着された磁性体（ｋ）を搬送する回転ドラム（２０）と、回転ドラムの内方に配置された磁石（３０）と備える。そして、回転ドラムと液面（Ｌ０）とが交差する交差位置（Ｐ０）から液面より高い方の磁力よりも、交差位置から液面よりも低い方の磁力の方が大きい構成とした。【選択図】図１
2020163267.tif 000002
【特許請求の範囲】
【請求項１】
磁性体が混じった液体を通す液体通路と、
前記液体通路中で一部が液面上方に露出するように配置され、回転することで、外周面に吸着された磁性体を搬送する回転ドラムと、
前記回転ドラムの内方に配置された磁石と、
を備え、
前記回転ドラムと液面とが交差する交差位置から液面より高い方の磁力よりも、前記交差位置から液面よりも低い方の磁力の方が大きい、
ドラム型分離装置。
【請求項２】
前記磁石は、厚みの異なる複数の永久磁石を含み、
前記交差位置から高い方に配置された前記永久磁石の厚みが、前記交差位置から低い方に配置された前記永久磁石の厚みよりも小さい、
請求項１記載のドラム型分離装置。
【請求項３】
前記磁石は、材質の異なる複数種類の永久磁石を含み、
前記交差位置から高い方に配置された前記永久磁石の材質の方が、前記交差位置から低い方に配置された前記永久磁石の材質よりも小さい磁力を有する、
請求項１記載のドラム型分離装置。
【請求項４】
前記回転ドラムの外周面との間に磁性体を挟んで液体を分離する絞りローラを更に備え、
前記磁石は、縦断面において、前記回転ドラムの回転中心と前記絞りローラの回転中心とを結ぶ線分に対して前記回転ドラムの回転方向と反回転方向とにそれぞれずれて配置された互いに隣接する第１磁石と第２磁石とを含み、
前記線分が、前記第１磁石の中心と前記第２磁石の中心を結ぶ線分の中点よりも、前記回転方向にずれている、
請求項１から請求項３のいずれか一項に記載のドラム型分離装置。
【発明の詳細な説明】
【技術分野】
【０００１】
本発明は、ドラム型分離装置に関する。
【背景技術】
【０００２】
研削盤などの工作機械を用いた金属加工中には、被加工材料から金属片などの磁性体が生じる。従来、このような磁性体を含んだクーラント液を導入し、クーラント液から磁性体を回収するドラム型分離装置がある（例えば特許文献１を参照）。ドラム型分離装置は、一部がクーラント液に浸るように配置された回転ドラムと、回転ドラムの内側で磁性体を回転ドラムに引き付ける磁石と、回転ドラムにより搬送された磁性体を外周面から引き剥がすスクレーパ等を備える。
【先行技術文献】
【特許文献】
【０００３】
【特許文献１】特開２０１５−０７３９５６号公報
【発明の概要】
【発明が解決しようとする課題】
【０００４】
上記ように構成されたドラム型分離装置においては、磁石の配置及び強度によって、回転ドラムによる磁性体の搬送能力が変化する。ドラム型分離装置においては、磁性体の搬送能力を維持しつつ装置のコストを低減することが望まれており、この点において改善の余地が残されている。
【０００５】
本発明は、ドラム型分離装置において液体中の磁性体の搬送能力を維持しつつ装置のコストを低減することを目的とする。
【課題を解決するための手段】
【０００６】
本発明に係るドラム型分離装置は、
磁性体が混じった液体を通す液体通路と、
前記液体通路中で一部が液面上方に露出するように配置され、回転することで、外周面に吸着された磁性体を搬送する回転ドラムと、
前記回転ドラムの内方に配置された磁石と、
を備え、
前記回転ドラムと液面とが交差する交差位置から液面より高い方の磁力よりも、前記交差位置から液面よりも低い方の磁力の方が大きい構成とした。
【発明の効果】
【０００７】
本発明によれば、液体中の磁性体の搬送能力を維持しつつ装置のコストの低減を図ることができる。
【図面の簡単な説明】
【０００８】
【図１】本発明の実施形態に係るドラム型分離装置を示す図である。
【図２】永久磁石の配置の一例を示す図である。
【図３】永久磁石の配置の詳細を説明する図である。
【図４】回転ドラム、絞りローラ及び磁石の配置関係を説明する図である。
【図５】ドラム内の永久磁石の変形例を示す図である。
【発明を実施するための形態】
【０００９】
以下、本発明の実施形態について図面を参照して詳細に説明する。
【００１０】
図１は、本発明の実施形態に係るドラム型分離装置を示す図である。図２は、永久磁石の配置の一例を示す図である。本明細書において、単に周方向、軸方向、径方向といったときには、回転ドラム２０の周方向、軸方向、径方向をそれぞれ意味する。
【００１１】
本実施形態のドラム型分離装置１は、工作機械から送られたクーラント液を流す液体通路１０と、金属片などの磁性体ｋを外周面に吸着して搬送する回転ドラム２０と、回転ドラム２０内で回転ドラム２０の外周面に沿うように配置された磁石３０と、磁石３０を支持する支持体４０と、回転ドラム２０との間に磁性体ｋを挟んでクーラント液を分離する絞りローラ５０と、回転ドラム２０により搬送された磁性体ｋを回転ドラム２０から引き剥がして回収する回収部６０と、これらを収容するハウジング７０と、回転ドラム２０を回転駆動する図示略のモータと、絞りローラ５０と回転ドラム２０との間の隙間量又は接触圧力を調整可能な図示略の調整機構とを有する。
【００１２】
液体通路１０は、水平方向に延設され、一方にクーラント液を導入する導入口１１を有し、他方にクーラント液を導出する導出口１２を有する。導入口１１に近い方を上流、導出口１２に近い方を下流と呼ぶ。液体通路１０は、回転ドラム２０の外周面に沿った断面円弧状（断面はクーラント液の流れ方向に沿った縦断面）の流路枠１５を有する。流路枠１５は、回転ドラム２０の下方に配置される。液体通路１０には通路上端までクーラント液が浸らないように液面Ｌ０が設定されている。
【００１３】
回転ドラム２０は、液体通路１０内で、一部が液面Ｌ０の上方に露出するように配置される。回転ドラム２０の回転中心軸は水平方向を向く。回転ドラム２０は、モータにより回転駆動される。回転方向は、上流側の外周面が上方へ回動し、下流側の外周面が下方へ回動する向きである。
【００１４】
絞りローラ５０は、液面Ｌ０よりも高い位置で、回転ドラム２０に接触又は近接し、回転自在に配置されている。絞りローラ５０の回転中心軸は、回転ドラム２０の回転中心軸と平行である。
【００１５】
回収部６０は、液面Ｌ０よりも高い位置で磁性体ｋを回転ドラム２０からそぎ落とすスクレーパ６１と、そぎ落とされた磁性体ｋを回収ボックス６３まで送るシュート６２とを備える。スクレーパ６１の先端部は、回転ドラム２０の回転中心軸よりも上方かつ下流側で回転ドラム２０の外周面に接触又は近接するように配置されている。
【００１６】
支持体４０は、回転ドラム２０の外周面に沿った円筒状又は円柱状の形態を有し、回転ドラム２０の内側に固定されている。
【００１７】
磁石３０は、互いに磁力の異なる３組の永久磁石３１、３２、３３を含む。複数の磁石３０は、図１及び図２に示すように、例えば周方向及び軸方向に間隔を開けて配列され、かつ、径方向に磁極を向けて配置されている。磁極はＮ極とＳ極とが周方向に沿って順に反転するように並べられている。３組の永久磁石３１、３２、３３は、同一素材の磁石であり、径方向に見たときの面積がほぼ同一である。３組の永久磁石３１、３２、３３は、厚みが異なることで、互いに磁力が異なる。すなわち、磁石３０の中で、最も磁力の小さい永久磁石３１は、厚みが最も薄い。次に磁力の小さい永久磁石３２は、厚みが次に薄い。最も磁力の大きな永久磁石３３は、厚みが最も厚い。
【００１８】
図３は、永久磁石の配置の詳細を説明する図である。
【００１９】
ここでは、３組の永久磁石３１、３２、３３の配置を、軸方向に見て、回転ドラム２０の回転方向における角度範囲を用いて説明する。最も磁力の小さい永久磁石３１は、絞りローラ５０と回転ドラム２０とが対向する位置Ｐ１からスクレーパ６１の先端位置Ｐ２までの角度範囲Ｗ１内に配置される。次に磁力の大きい永久磁石３２は、回転ドラム２０と液面Ｌ０との上流側の交差位置Ｐ０から絞りローラ５０の対向位置Ｐ１までの角度範囲Ｗ２に配置される。絞りローラ５０側において、永久磁石３２は角度範囲Ｗ２に一部が重なっていればよい。最も磁力の大きい永久磁石３３は、回転ドラム２０と液面Ｌ０との上流側の交差位置Ｐ０から液面Ｌ０よりも低い搬送区間に渡る角度範囲Ｗ３に配置される。永久磁石３１、３２、３３は、厚みが違う分、回転ドラム２０の外周面までの距離が異なり、永久磁石３１が最も遠く、永久磁石３３が最も近い。角度範囲Ｗ２は本発明に係る第１角度範囲の一例に相当し、角度範囲Ｗ３は本発明に係る第２角度範囲の一例に相当する。
【００２０】
＜動作＞
続いて、ドラム型分離装置１の動作について説明する。ドラム型分離装置１においては、回転ドラム２０が回転駆動された状態で、クーラント液が液体通路１０に流される。クーラント液が回転ドラム２０と流路枠１５との間を通過すると、クーラント液に含まれる磁性体ｋが磁石３０（永久磁石３３）に引き付けられて回転ドラム２０の外周面に吸着される。角度範囲Ｗ３に配置された永久磁石３３は強い磁力を発生させるため、クーラント液の流れに逆らって磁性体ｋを回転ドラム２０へ吸着させることができる。
【００２１】
吸着された磁性体ｋは、回転ドラム２０の回転によって搬送され、液面Ｌ０の上に移動する。角度範囲Ｗ３（液面Ｌ０下）の永久磁石３３と、角度範囲Ｗ２（液面Ｌ０上）の永久磁石３２との差により、液面Ｌ０を境に上方区間の磁力は下方区間の磁力よりも弱い。液面Ｌ０よりも下ではクーラント液の抵抗力に抗して磁性体ｋを引き付ける必要があり、これを可能とする大きな磁力が設定される。液面Ｌ０より上では、クーラント液の抵抗力に抗する磁力が必要なく、吸着した磁性体ｋを絞りローラ５０の箇所まで搬送可能な磁力があればよい。このため、液面Ｌ０よりも上の磁力を、液面Ｌ０よりも下の磁力よりも低くすることで、磁性体ｋの搬送能力を維持しつつ、磁力を弱めた分、コストを低減できる。
【００２２】
回転ドラム２０に吸着され液面Ｌ０を超えた磁性体ｋは、その後、回転ドラム２０と絞りローラ５０との間に進入することで、磁性体ｋに付着しているクーラント液の多くが分離される。さらに、磁性体ｋは回転ドラム２０に吸着されたまま、絞りローラ５０の位置からスクレーパ６１の位置まで搬送される。そして、磁性体ｋは、スクレーパ６１により回転ドラム２０からそぎ落とされて回収される。
【００２３】
絞りローラ５０からスクレーパ６１の位置まで移動する間、中程度の磁力の永久磁石３２が配置された角度範囲Ｗ２から小さい磁力の永久磁石３１が配置された角度範囲Ｗ１へ、磁性体ｋが移動する。さらに、磁性体ｋは、永久磁石３１が配置された角度範囲Ｗ１から、永久磁石が配置されていないスクレーパ６１の方へ移動する。このように、磁力が強い位置から弱い位置へ移動するとき、磁力の差が大きいと、磁力の弱い方へ磁性体ｋが進まずに、強い磁力によって磁性体ｋが吸着され、磁力の強い方で磁性体ｋが堆積してしまう場合がある。
【００２４】
しかしながら、本実施形態では、液面Ｌ０よりも上方の角度範囲Ｗ２に配置される永久磁石３２が、クーラント液中で強く磁性体ｋを引き付ける必要のある角度範囲Ｗ３の永久磁石３３よりも、磁力が小さく設定されている。したがって、絞りローラ５０を超えた箇所の永久磁石３２とスクレーパ６１に近い位置の永久磁石３１との磁力差を小さくすることができる。それゆえ、絞りローラ５０を超えてスクレーパ６１でそぎ落とされるまでの角度範囲において、磁力が差が急激にならず、これにより磁性体ｋの堆積による、磁性体ｋの停滞を抑制することができる。これらの結果、磁性体ｋは効率的に回収される。
【００２５】
（変形例）
図５は、ドラム内の永久磁石の変形例を示す図である。
【００２６】
上述した実施形態では、磁石３０から回転ドラム２０の外周面に及ぼされる磁力の大きさを、角度範囲Ｗ１〜Ｗ３ごとに異ならせるために、角度範囲Ｗ１〜Ｗ３に配置する永久磁石３１、３２、３３の厚みを異ならせている。しかし、磁力の大きさを異ならせる手段は、これに限られない。例えば、永久磁石の材質（例えば、フェライトとネオジムなど）を異ならせることで、磁力の大きさを異ならせてもよい。また、個々の永久磁石の磁力は同一にしつつ、永久磁石と回転ドラム２０の外周面との距離を異ならせることで、磁力の大きさを異ならせてもよい。
【００２７】
さらに、永久磁石は表面積が大きいと中央部分の磁束密度が低下するという性質を有する。したがって、図５の永久磁石３５、３６に示すように、径方向から見た面積と単位面積当たりの配置個数と厚みとを異ならせることで、回転ドラム２０の外周面に及ぼされる磁力の大きさを、角度範囲ごとに異ならせるようにしてもよい。この場合、径方向から見た面積が小さく、単位面積当たりの配置個数の多く、厚みの厚い永久磁石３６を、角度範囲Ｗ３（図３）に配置し、径方向から見た面積が大きく、単位面積当たりの配置個数が少なく、厚みが薄い永久磁石３５を、角度範囲Ｗ２に配置すればよい。径方向から見た面積が小さく、単位面積当たりの配置個数の多く、厚みの厚い永久磁石３６の方が、回転ドラム２０の外周面に大きな磁力を及ぼすことができる。その他、上述した磁力の大きさを異ならせる手段のうち、２つ以上の手段が複合的に用いられてもよい。
【００２８】
以上のように、本実施形態のドラム型分離装置１によれば、磁石３０から回転ドラム２０の外周面に及ぼされる磁力が、液面との交差位置Ｐ０から上方よりも、交差位置Ｐ０から下方の方が大きい。すなわち、クーラント液の抵抗力に抗して磁性体ｋを引き付ける必要がある液面Ｌ０よりも下において大きな磁力を維持しつつ、クーラント液の抵抗力に抗する磁力が必要ない液面Ｌ０よりも上において、磁力が小さく設定されている。したがって、磁性体ｋの搬送能力を維持しつつ、液面Ｌ０よりも上において磁力を弱めた分、ドラム型分離装置１のコスト（部品コストなどの装置自体のコスト）を低減できる。
【００２９】
さらに、本実施形態のドラム型分離装置１によれば、液面Ｌ０の下方よりも小さな磁力が及ぼさされる角度範囲は、回転ドラム２０と液面Ｌ０との交差位置Ｐ０から絞りローラ５０との対向位置Ｐ１までの角度範囲Ｗ２である。このような角度範囲Ｗ２の磁力が、液面Ｌ０の下方の角度範囲Ｗ３の磁力よりも小さくされることで、液面Ｌ０を超える前後から絞りローラ５０によりクーラント液が分離されるまで、磁性体ｋが回転ドラム２０の外周面から脱離してしまうことを抑制できる。
【００３０】
さらに、本実施形態のドラム型分離装置１によれば、角度範囲Ｗ２に配置される永久磁石３２の厚みが、角度範囲Ｗ３に配置される永久磁石３３の厚みよりも小さい。これにより、上述した磁力の差を発生させることができ、さらに、厚みの差を利用することで、回転ドラム２０の外周面に及ぼされる磁力を容易に設計値に調整することができる。
【００３１】
また、本実施形態の変形例に示したように、角度範囲Ｗ２に配置される永久磁石と、角度範囲Ｗ３に配置される永久磁石との材質を異ならせても、上述した磁力の差を発生させることができる。また、本実施形態の変形例に示したように、永久磁石３５、３６の径方向から見た面積、単位面積当たりの配置個数及び厚みを異ならせることで、上述した磁力の差を発生させることができる。
【００３２】
図４は、回転ドラム、絞りローラ及び磁石の配置関係を説明する図である。図４において、永久磁石３２ａ、３２ｂの磁束を一点鎖線で示す。
【００３３】
絞りローラ５０に近くに配置された互いに隣接する一対の磁石３２ａ、３２ｂは、軸方向に垂直な縦断面において、回転ドラム２０の回転中心軸と絞りローラ５０の回転中心軸とを結ぶ線分Ａ１に対してずれて配置されている。一方の磁石３２ａは、線分Ａ１よりも回転ドラム２０の回転方向にずれて配置され、他方の磁石３２ｂは、線分Ａ１よりも回転ドラム２０の反回転方向にずれて配置されている。そして、線分Ａ１は、磁石３２ａの中心点と磁石３２ｂの中心点とを結ぶ線分の中点よりも、回転方向にずれている。言い換えれば、磁石３２ａの中心と線分Ａ１との距離Ｌ１は、磁石３２ｂの中心と線分Ａ１との距離Ｌ２よりも小さい。
【００３４】
このような配置によれば、絞りローラ５０と回転ドラム２０との最接近点Ｐ１０よりも絞りローラ５０の反回転側の範囲Ｈ１において、磁束の向きが横に寝る。すなわち、磁束の向きが、絞りローラ５０の周方向成分の方が絞りローラ５０の径方向成分よりも大きい向きとなる。さらに、最接近点Ｐ１０よりも絞りローラ５０の回転方向側の範囲Ｈ２において、磁束の向きが立つ。すなわち、磁束の向きが、絞りローラ５０の径方向成分の方が絞りローラ５０の周方向成分よりも大きい向きとなる。磁性体ｋは短い針状であるため、絞りローラ５０の外周面に磁性体ｋが刺さって、絞りローラ５０に磁性体ｋが付着してしまう恐れがある。しかし、上記のような磁束の向きによれば、磁性体ｋが絞りローラ５０と回転ドラム２０との間に進入する際には、磁性体ｋが寝る方向に揃い、磁性体ｋが絞りローラ５０に刺さりにくい。さらに、磁性体ｋが絞りローラ５０と回転ドラム２０との間から送り出される際には、磁性体ｋが縦向きに強く引っ張られるため、絞りローラ５０に刺さった磁性体ｋを、絞りローラ５０から離脱させやすい。したがって、これらの作用により、絞りローラ５０に磁性体ｋが刺さって付着してしまうことが抑制される。
【００３５】
以上、本発明の実施形態について説明した。しかし、本発明は上記の実施形態に限られない。例えば、上記実施形態では、磁石として永久磁石を示した。しかし、磁石として電磁石を適用してもよく、その場合、電流、巻き線の巻回数、ヨークの大きさ又は配置などを異ならせることで、回転ドラムの外周面に及ぼされる磁力の大きさを変えることができる。また、上記の実施形態では、複数の永久磁石が隙間を開けて配列された構成を一例にとって説明したが、磁石は、連続する１つの永久磁石から構成されていてもよい。また、複数の永久磁石が隙間を設けずに配列された構成としてもよい。また、上記の実施形態では、液面Ｌ０が予め設定されている構成を一例にとって説明したが、液面Ｌ０が変動する構成であってもよい。その場合、液面Ｌ０の変動に連動させて磁石の配置を変化させる機構が付加されてもよい。また、本装置は個体と液体とを分離する装置であるため、クーラント液以外に真水等の液体を用いても良い。その他、実施の形態で示した細部は、発明の趣旨を逸脱しない範囲で適宜変更可能である。
【符号の説明】
【００３６】
１  ドラム型分離装置
１０  液体通路
１１  導入口
１２  導出口
２０  回転ドラム
３０  磁石
３１〜３３、３５、３６  永久磁石
３２ａ  永久磁石（第１磁石）
３２ｂ  永久磁石（第２磁石）
４０  支持体
５０  絞りローラ
６０  回収部
６１  スクレーパ
６２  シュート
７０  ハウジング
ｋ  磁性体
Ｌ０  液面
Ｐ０  回転ドラムと液面との上流側の交差位置
Ｗ２  角度範囲（第１角度範囲）
Ｗ３  角度範囲（第２角度範囲）
【図１】
2020163267.tif 000003
【図２】
2020163267.tif 000004
【図３】
2020163267.tif 000005
【図４】
2020163267.tif 000006
【図５】
2020163267.tif 000007